(57)【要約】【課題】防音と空気浄化の効果を備えるとともに、高換気効果を同時に両立できる開口部構造と、雨戸と、建物を提供することにある。【解決手段】窓２の屋外側に雨戸４を設けた建物の開口部構造において、雨戸４と窓２は、それぞれ、開口部１の一方側と他方側にロック可能に半開状態とされ、該半開状態では屋外から屋内に通じる空気の通路Ｒ１，Ｒ２が形成され、該通路に面する雨戸４の屋内側面は吸音可能な面とされ、前記通路は通気可能なフィルター７で遮断されていることを特徴とする。【選択図】  図１
2004293056.tif 000002
【特許請求の範囲】
【請求項１】
窓の屋外側に雨戸を設けた建物の開口部構造において、雨戸と窓は、それぞれ、開口部の一方側と他方側にロック可能に半開状態とされ、該半開状態では雨戸と窓の間に屋外から屋内に通じる空気の通路が形成され、該通路に面する雨戸の屋内側面は吸音可能な面とされ、前記通路は通気可能なフィルターで遮断されていることを特徴とする建物の開口部構造。
【請求項２】
前記雨戸と窓の半開状態は、吸音効果と、毎時１０回以上の換気回数とを両立できる範囲になされていることを特徴とする請求項１記載の建物の開口部構造。
【請求項３】
建物の開口部に開閉可能に設ける雨戸であって、板状の雨戸本体の裏面側に吸音材が設けられ、開口部の一方側に半開状態でロック可能なロック機構を備えていることを特徴とする雨戸。
【請求項４】
前記雨戸本体は、多数の孔を穿設した孔開き板で形成され、前記吸音材は、多孔質材で形成されていることを特徴とする請求項３記載の雨戸。
【請求項５】
前記雨戸本体は、透光性合成樹脂板で形成され、前記吸音材は、アルミニウム繊維からなる多孔質材で形成され、前記アルミニウム繊維には酸化チタン光触媒が塗布されていることを特徴とする請求項３または４記載の雨戸。
【請求項６】
請求項１または２記載の開口部構造を備えたことを特徴とする建物。
【請求項７】
請求項３〜５のいずれか１項に記載の雨戸を備えたことを特徴とする建物。
【発明の詳細な説明】
【０００１】
【発明の属する技術分野】
本発明は、建物の開口部構造、雨戸、及び建物に関する。
【０００２】
【従来の技術】
防音しながら、浄化した空気を導入する従来技術としては、下記の特許文献１，２に記載されたものが知られている。
【０００３】
特許文献１に記載の省エネルギー健康住宅は、木造住宅の構造内に断熱層及び、気密防湿層と木炭層で構成された省エネ健康層を設け、空調設備には室内空気循環型の熱交換機及び木炭層を持つ健康ダクトを取り付けた空調換気設備を取り付け、外気に接する建具に木製３重ガラスサッシュを取り付けるようにしたものである。
【０００４】
特許文献２に記載の外気自然循環による防音・省エネルギー保健居室システムは、本体の空隙部に吸音材を充填してなる消音自然換気口を、建物上部の室内外に通じるように少なくとも２ヵ所設置することにより、室内気候を自然の気候変化に連動せしめるようにしたものである。
【０００５】
【特許文献１】
特開平１１−２００６４６号公報
【特許文献２】
特開２００３−２１３７３号公報
【０００６】
【発明が解決しようとする課題】
しかしながら、上記特許文献１，２記載のような従来技術にあっては、いずれも、防音と空気浄化の効果はあるが、換気口の制約のため換気回数は毎時０．５〜３回程度となり、換気回数が毎時１０回以上の高換気効果を同時に両立できるものではなかった。
【０００７】
本発明の課題は、防音と空気浄化の効果を備えるとともに、高換気効果を同時に両立できる開口部構造と、雨戸と、建物を提供することにある。
【０００８】
【課題を解決するための手段】
請求項１記載の発明は、窓の屋外側に雨戸を設けた建物の開口部構造において、雨戸と窓は、それぞれ、開口部の一方側と他方側にロック可能に半開状態とされ、該半開状態では雨戸と窓の間に屋外から屋内に通じる空気の通路が形成され、該通路に面する雨戸の屋内側面は吸音可能な面とされ、前記通路は通気可能なフィルターで遮断されていることを特徴とする。
【０００９】
請求項２記載の発明は、請求項１記載の建物の開口部構造において、前記雨戸と窓の半開状態は、吸音効果と、毎時１０回以上の換気回数とを両立できる範囲になされていることを特徴とする。
【００１０】
請求項３記載の発明は、建物の開口部に開閉可能に設ける雨戸であって、板状の雨戸本体の裏面側に吸音材が設けられ、開口部の一方側に半開状態でロック可能なロック機構を備えていることを特徴とする。
【００１１】
請求項４記載の発明は、請求項３記載の雨戸において、前記雨戸本体は、多数の孔を穿設した孔開き板で形成され、前記吸音材は、多孔質材で形成されていることを特徴とする。
【００１２】
請求項５記載の発明は、請求項３または４記載の雨戸において、前記雨戸本体は、透光性合成樹脂板で形成され、前記吸音材は、アルミニウム繊維からなる多孔質材で形成され、前記アルミニウム繊維には酸化チタン光触媒が塗布されていることを特徴とする。
【００１３】
請求項６記載の発明は、請求項１または２記載の開口部構造を備えたことを特徴とする建物である。
【００１４】
請求項７記載の発明は、請求項３〜５のいずれか１項に記載の雨戸を備えたことを特徴とする建物である。
【００１５】
（作用）
請求項１記載の本発明の開口部構造によると、雨戸と窓は、それぞれ、開口部の一方側と他方側にロック可能に半開状態とされ、該半開状態では屋外から屋内に通じる空気の通路が形成されているので、半開状態の雨戸から取り入れた屋外の空気が、雨戸と窓の間を通って半開状態の窓から屋内に供給される。このため、換気のための空気の出入口を大きくでき、従来の換気口を設けたもの等に比べて高い換気効果が得られる。
この際、空気の通路に面する雨戸の屋内側面は吸音可能な面とされているので、この通路を流通する間に外部騒音が吸音され、この通路は通気可能なフィルターで遮断されているので、空気浄化される。
従って、高換気効果が得られるとともに、防音と空気浄化の効果も同時に両立できる。
【００１６】
請求項２記載の本発明の開口部構造によると、さらに、前記雨戸と窓の半開状態は、吸音効果と、毎時１０回以上の換気回数とを両立できる範囲になされているので、騒音に悩まされない快適な住まいを実現できる。
半開状態が上記両立できる範囲を越えて大きくなり過ぎると、吸音能力の限度を越えて防音効果がない。また、半開状態が上記両立できる範囲より小さいと、防音上問題はないが高い換気効果が得られない。
【００１７】
請求項３記載の本発明の雨戸によると、板状の雨戸本体の裏面側に吸音材が設けられ、開口部の一方側に半開状態でロック可能なロック機構を備えているので、この雨戸を開口部に設けて半開状態にすると、請求項１記載の発明と同様、高換気効果と防音効果とを両立できる。
【００１８】
請求項４記載の本発明の雨戸によると、さらに、前記雨戸本体は、多数の孔を穿設した孔開き板で形成され、吸音材が多孔質材で形成されているので、吸音効果を高めることができる。また、吸音材が吸着材として有害物質を吸着除去できる。
そして、前記吸音材が、透光可能な多孔質材で形成されていると、雨戸が半開状態であっても、前記雨戸本体の孔から透過した太陽光を室内に採光できる。
【００１９】
請求項５記載の本発明の雨戸によると、さらに、前記雨戸本体は、透光性合成樹脂板で形成されている。そして、前記吸音材は、アルミニウム繊維からなる多孔質材で形成され、前記アルミニウム繊維には酸化チタン光触媒が塗布されている。
従って、雨戸が半開状態であっても、透光性の雨戸本体を通った太陽光により、フィルターで除去できない窒素酸化物（ＮＯｘ  ）等の屋外の有害物質を酸化チタン光触媒で分解等の除去できる。
吸音材の透光性が良いと、太陽光の採光にもよいが、光触媒に到達する光が多くなるので、分解等の除去能力が高くなる。
【００２０】
請求項６記載の本発明の建物によると、請求項１または２記載の開口部構造を備えているので、請求項１または２記載の発明と同様の作用効果を奏する。
【００２１】
請求項７記載の本発明の建物によると、請求項３〜５のいずれか１項に記載の雨戸を備えているので、請求項３〜５のいずれか１項に記載の発明と同様の作用効果を奏する。
【００２２】
【発明の実施の形態】
図１は、本発明の一実施形態の開口部を模式的に示す水平断面図である。図２（イ）は、本発明の一実施形態の雨戸の模式的断面図であり、（ロ）は（イ）の一部拡大断面図である。図３〜図５は、本発明の他の実施形態の雨戸であり、一部拡大断面図である。図６は、網戸を模式的に示す斜視図である。
【００２３】
（実施の形態１）
本実施の形態１の建物は、外壁８に、図１に示すような開口部１を備え、この開口部１と対向する外壁や間仕切り等には、適宜の排気口（不図示）が設けられている。
【００２４】
本実施の形態１の開口部１は、引き違いサッシの窓２と、網戸３と、雨戸４とを、屋内側から屋外側に向かってこの順序で設けたものである。
この開口部１に設ける雨戸４は、図２に示すように、板状の雨戸本体４１と、この雨戸本体４１の裏面側に設けた板状の吸音材４２とから構成される。
【００２５】
上記雨戸本体４１は、厚さ０．６〜１ｍｍの鋼板製波板で形成されている。上記吸音材４２は、アルミニウム繊維でなる多孔質材で形成されている。アルミニウム繊維は、アルミニウムを直径１ｍｍ以下の太さに延伸して繊維状にしたもので、これを焼結・熱融着し、板状に成型して多孔質材としたものである。
【００２６】
上記雨戸４は、開口部１の一方側（図１の左側）に半開状態でロック可能なように、ロック機構５を備えている。
また、上記窓２は、開口部の他方側（図１の右側）に半開状態でロック可能なように、ロック機構６を備えている。
【００２７】
上記ロック機構５，６による雨戸４と窓２の半開状態では、窓２と雨戸４の間に、屋外から屋内に通じる空気の通路Ｒ１，Ｒ２が形成される。通路Ｒ２は、網戸３を境にして屋内外に分離している。
この通路Ｒ１と通路Ｒ２とは、網戸３の雨戸の開口側に設けたフィルター７で通気可能に遮断されている。このフィルター７は、図６に示すように、網戸３と直交するように設けられ、雨戸４の開口側端部と窓２の屋外側面との間を閉じるようにしている。フィルター７は、孔寸法０．５〜５ｍｍの網状材で形成され、防塵、防虫のために設けられている。
【００２８】
前記雨戸４と窓２の半開状態は、吸音効果と、毎時１０回以上の換気回数とを両立できる範囲になされている。
具体的には、引き違いサッシである窓２は、高さ１８００ｍｍ×全幅２２００ｍｍになされており、半開状態での雨戸４の開き寸法Ｋ１は、１５０〜２００ｍｍの範囲になされ、窓２の開き寸法Ｋ２も、１５０〜２００ｍｍの範囲になされている。
【００２９】
（実施の形態１の作用）
本実施の形態１によると、雨戸４と窓２は、それぞれ、開口部１の一方側と他方側にロック可能に半開状態とされている。
上記の半開状態では、屋外から屋内に通じる空気の通路Ｒ１，Ｒ２が形成されているので、半開状態の雨戸４から取り入れた屋外の空気が、半開状態の窓２から屋内に供給される。このため、換気のための空気の出入口を大きくでき、従来の換気口を設けたもの等に比べて高い換気効果が得られる。
この際、空気の通路Ｒ２に面する雨戸４の屋内側面は、吸音材４２によって吸音可能な面とされているので、この通路Ｒ２を流通する間に外部騒音が吸音される。吸音材４２が多孔質であるので、吸音だけでなく吸着の作用も生じる。
また、上記通路Ｒ１，Ｒ２は通気可能なフィルター７で遮断されているので、防塵、防虫等によって空気浄化される。
従って、高換気効果が得られるとともに、防音と空気浄化の効果も同時に両立できる。
【００３０】
本実施の形態１によると、さらに、前記雨戸４と窓２の半開状態は、吸音効果と、毎時１０回以上の換気回数とを両立できる範囲になされているので、騒音に悩まされない快適な住まいを実現できる。
【００３１】
（実施の形態２）
実施の形態２と、後述する実施の形態３，４においては、雨戸４の構成を除けば、前記実施の形態１と同じ構成である。
本実施の形態２の雨戸４にあっては、図３に示すように、雨戸本体４３は、多数の小孔を穿設した波形の孔開き鋼板（パンチングメタル）で形成され、前記吸音材４４は、透光可能な多孔質材で形成されている。
上記吸音材４４は、前記実施の形態１の吸音材４２と同様、アルミニウム繊維でなる透光性多孔質材で形成されているが、波形の孔開き鋼板（パンチングメタル）と符合するように、同じく波付けされている。
透光性をよくするために、吸音材４４に、さらに、多数の小孔を穿設してもよい。
【００３２】
本実施の形態２の雨戸４によると、さらに、前記雨戸本体４３が、多数の小孔を穿設した波形の孔開き鋼板（パンチングメタル）で形成されているので、吸音効果を一層高めることができる。
そして、前記吸音材４４は、透光可能な多孔質材で形成されているので、雨戸４が半開状態であっても、前記雨戸本体４３の孔から透過した太陽光を室内に採光できる。
【００３３】
（実施の形態３）
本実施の形態３の雨戸４にあっては、図４に示すように、雨戸本体４５は、多数の小孔を穿設した平板状の孔開き鋼板（パンチングメタル）で形成され、前記吸音材４６は、厚さ１０〜５０ｍｍのロックウールで形成されている。
このため、前記実施の形態３の雨戸４に比べて採光性は劣るが、夜間等の使用時には支障はない。
【００３４】
（実施の形態４）
本実施の形態４の雨戸４にあっては、図５に示すように、雨戸本体４７は、多数の小孔を穿設した透明な波形の合成樹脂板（ポリカーボネート等）で形成されている。
吸音材４８は、アルミニウム繊維からなる透光可能な波形の多孔質材で形成され、前記アルミニウム繊維には酸化チタン光触媒が塗布されている。
このため、雨戸４が半開状態であっても、透光性の雨戸本体４７と吸音材４８を通って、太陽光を室内に採光できるとともに、前記フィルター７で除去できない窒素酸化物（ＮＯｘ  ）等の屋外の有害物質を酸化チタン光触媒で分解除去できる。
【００３５】
（実施の形態５）
図７は、本発明の別の実施の形態の開口部を模式的に示す垂直断面図である。前記実施の形態１〜４における窓２は、いずれも、引き違いサッシになされたものであったが、本実施の形態５においては、図７に示すように、窓２Ａが内倒しサッシになされている。
【００３６】
本実施の形態５の開口部は、内倒しサッシの窓２Ａと、網戸３Ａと、雨戸４Ａとを、屋内側から屋外側に向かってこの順序で設けたものである。
上記開口部に設ける雨戸４Ａは、図２に示した前記雨戸４と同様、雨戸本体４１の裏面側に吸音材４２を設けたものであるが、図３〜図５に示した雨戸本体４３，４５，４７の裏面側に吸音材４４，４６，４８を設けたものでもよい。
【００３７】
上記雨戸４Ａは、開口部の一方側（図７の下側）に半開状態でロック可能なように、ロック機構５Ａを備えている。
また、上記窓２Ａは、開口部の他方側（図７の上側）に半開状態でロック可能なように、ロック機構６Ａを備えている。
【００３８】
上記ロック機構５Ａ，６Ａによる雨戸４Ａと窓２Ａの半開状態では、窓２Ａと雨戸４Ａの間に、屋外から屋内に通じる空気の通路Ｒが形成される。
この通路Ｒは、網戸３Ａの下方側に設けたフィルター７Ａ（網戸３Ａと一体に連続しているもの）で通気可能に遮断されている。
このフィルター７Ａは、孔寸法０．５〜５ｍｍの網状材で形成され、防塵、防虫のために設けられている。
【００３９】
前記雨戸４Ａと窓２Ａの半開状態は、吸音効果と、毎時１０回以上の換気回数とを両立できる範囲になされている。
具体的には、内倒しサッシである窓２Ａは、高さ１４００ｍｍ×幅１８００ｍｍ、または高さ２２００ｍｍ×幅９００ｍｍになされている。
半開状態での雨戸４Ａの開き寸法Ｋ１は、２００〜２５０ｍｍの範囲になされ、窓２Ａの開き寸法Ｋ２も、２００〜２５０ｍｍの範囲になされている。
【００４０】
（実施の形態５の作用）
本実施の形態５によると、雨戸４Ａと窓２Ａは、それぞれ、開口部の下方側と上方側にロック可能に半開状態とされている。
上記の半開状態では、屋外から屋内に通じる空気の通路Ｒが形成されているので、半開状態の雨戸４Ａから取り入れた屋外の空気が、半開状態の窓２Ａから屋内に供給される。このため、換気のための空気の出入口を大きくでき、従来の換気口を設けたもの等に比べて高い換気効果が得られる。
この際、空気の通路Ｒに面する雨戸４Ａの屋内側面は、吸音材４２（または吸音材４４，４６，４８のいずれか）によって吸音可能な面とされているので、この通路Ｒを流通する間に外部騒音が吸音される。
また、上記通路Ｒは網戸３Ａと一体の通気可能なフィルター７Ａで遮断されているので、空気浄化される。
従って、高換気効果が得られるとともに、防音と空気浄化の効果も同時に両立できる。
【００４１】
本実施の形態５によると、さらに、前記雨戸４Ａと窓２Ａの半開状態は、吸音効果と、毎時１０回以上の換気回数とを両立できる範囲になされているので、騒音に悩まされない快適な住まいを実現できる。
【００４２】
以上、本発明の一実施の形態を図面により詳述したが、本発明の具体的な構成はこの実施の形態に限られるものではなく、本発明の要旨を逸脱しない範囲の設計の変更等があっても本発明に含まれる。
【００４３】
【発明の効果】
請求項１記載の本発明の開口部構造によると、高換気効果が得られるとともに、防音と空気浄化の効果も同時に両立できる。
【００４４】
請求項２記載の本発明の開口部構造によると、さらに、吸音効果と、毎時１０回以上の換気回数とを両立できる範囲になされているので、騒音に悩まされない快適な住まいを実現できる。
【００４５】
請求項３記載の本発明の雨戸によると、高換気効果と防音効果を両立できる。
【００４６】
請求項４記載の本発明の雨戸によると、さらに、吸音効果を高めることができる。
【００４７】
請求項５記載の本発明の雨戸によると、さらに、太陽光を室内に採光できるとともに、窒素酸化物（ＮＯｘ  ）等の屋外の有害物質を除去できる。
【００４８】
請求項６記載の本発明の建物によると、請求項１または２記載の開口部構造を備えているので、請求項１または２記載の発明と同様の作用効果を奏する。
【００４９】
請求項７記載の本発明の建物によると、請求項３〜５のいずれか１項に記載の雨戸を備えているので、請求項３〜５のいずれか１項に記載の発明と同様の作用効果を奏する。
【図面の簡単な説明】
【図１】本発明の一実施形態の開口部を模式的に示す水平断面図である。
【図２】（イ）は、本発明の一実施形態の雨戸の模式的断面図であり、（ロ）は（イ）の一部拡大断面図である。
【図３】本発明の他の実施形態の雨戸であり、一部拡大断面図である。
【図４】本発明の他の実施形態の雨戸であり、一部拡大断面図である。
【図５】本発明の他の実施形態の雨戸であり、一部拡大断面図である。
【図６】網戸を模式的に示す斜視図である。
【図７】本発明の別の実施の形態の開口部を模式的に示す垂直断面図である。
【符号の説明】
１  建物の開口部
２，２Ａ  窓
３，３Ａ  網戸
４，４Ａ  雨戸
５，５Ａ  雨戸のロック機構
６，６Ａ  窓のロック機構
７，７Ａ  フィルター
４１，４３，４５，４７  雨戸本体
４２，４４，４６，４８  吸音材
Ｒ１，Ｒ２，Ｒ  空気の通路
【図１】
2004293056.tif 000003
【図２】
2004293056.tif 000004
【図３】
2004293056.tif 000005
【図４】
2004293056.tif 000006
【図５】
2004293056.tif 000007
【図６】
2004293056.tif 000008
【図７】
2004293056.tif 000009